(57)【要約】    【課題】表示器による表示動作に工夫が凝らされ、これにより興趣が増した遊技機を提供する。    【解決手段】表示制御基板６５の後方には、表示制御基板６５に制御信号を送るための略円柱状の導電性回転体１２が備えられている。導電性回転体１２は、その前端が表示制御基板６５と接続されており、表示制御基板６５と一体となって回転する。これにより、表示制御基板６５の回転中も確実に電気信号を表示制御基板６５に送ることができる。よって、表示ユニット６の回転中も各回転ドラムの回転が維持される。【選択図】            図３
2005160731.tif 000002
【特許請求の範囲】
【請求項１】
遊技中に行われる抽選の結果を表示するための表示器を有する表示ユニットと、
この表示ユニットを上記表示器の表示面に交差する軸線まわりに回転角度制限なく回転自在に保持するユニット保持機構と
を含むことを特徴とする遊技機。
【請求項２】
上記表示器は、複数種類の図柄が次々と上記表示面内を所定の方向に移動する態様の図柄変動表示動作を行った後に、上記抽選の結果を表す図柄を停止表示するものであり、
上記遊技機は、上記図柄変動表示動作中に上記表示ユニットを回転させるためのユニット回転手段をさらに含むものであることを特徴とする請求項１記載の遊技機。
【請求項３】
上記表示器は、複数種類の図柄が円筒状周面に描かれた回転ドラムを備えたものであり、
上記表示ユニットは、上記回転ドラムを上記円筒状周面の中心軸線まわりに回転可能に保持するとともに、上記回転ドラムを回転させるためのドラムモータを保持したドラムユニットであることを特徴とする請求項１または２記載の遊技機。
【請求項４】
上記表示ユニットは、上記表示器の表示動作を制御するための表示制御基板をさらに保持しており、
上記遊技機は、
上記表示制御基板に向けて信号を出力する信号出力基板と、
上記表示ユニットの回転に伴って上記表示制御基板とともに回転する導電性回転体を備え、この導電性回転体から軸線方向に引き出された信号線を上記表示制御基板に接続するとともに、一端が上記導電性回転体の周面に接触する信号線の他端を上記信号出力基板に接続することによって、上記表示ユニットの回転時における上記信号出力基板と上記表示制御基板との間での信号の送受を可能にする通信接続手段と
をさらに含むものであることを特徴とする請求項１ないし３のいずれかに記載の遊技機。
【請求項５】
上記表示器の表示動作のための信号を出力する信号出力基板と、
上記表示ユニットの回転に伴って当該表示ユニットとともに回転する導電性回転体を備え、この導電性回転体から軸線方向に引き出された信号線を上記表示器に接続するとともに、一端が上記導電性回転体の周面に接触する信号線の他端を上記信号出力基板に接続することによって、上記表示ユニットの回転時における上記表示器と上記信号出力基板との間での信号の送受を可能にする通信接続手段と
を含むことを特徴とする請求項１ないし３のいずれかに記載の遊技機。
【請求項６】
上記表示ユニットは、上記表示器を保持する略円筒状のハウジングをさらに有していて、
上記ユニット保持機構は、上記ハウジングの外周面に周面が当接して上記表示ユニットを支持し、かつ、自転可能な複数のローラを有していることを特徴とする請求項１ないし５のいずれかに記載の遊技機。
【発明の詳細な説明】
【技術分野】
【０００１】
この発明は、パチンコ機などの遊技機に関する。
【背景技術】
【０００２】
従来から、パチンコ機等の遊技機には、遊技中に行われる大当たり抽選の結果を表示するための表示器が備えられている。たとえば、パチンコ機における遊技では、大当たり抽選において大当たりが確定すれば、多数個の賞球が遊技者に付与されるので、その遊技中は、抽選結果を表示する表示器の動作に遊技者の注目を集める。このため、表示器における抽選結果の表示に工夫をすれば、パチンコ機における遊技の興趣を向上させることができる。
【０００３】
たとえば、特許文献１には、３つのドットマトリクス表示器を横一列に並べた構成を有する遊技機が開示されている。この遊技機では、大当たり抽選が行われると、３つのドットマトリクス表示器の表示図柄が一斉に高速変動し始める。この表示図柄の高速変動は所定時間にわたって続けられ、その後、各ドットマトリクス表示器における図柄の変動が予め定める順序で１つずつ停止されていく。そして、最終的に、３つのドットマトリクス表示器に停止して表示された図柄の組み合わせによって、大当たり抽選の結果が表示（報知）される。大当たり抽選の結果が大当たりであった場合、３つのドットマトリクス表示器には同一の図柄が停止表示され、その瞬間に、各表示器が所定角度で傾動する。これにより、表示器に躍動感が加わり、表示器に注目している遊技者を興奮させることができる。
【特許文献１】特開平０６−３９１０８号公報
【発明の開示】
【発明が解決しようとする課題】
【０００４】
しかしながら、上記特許文献１の遊技機では、大当たり抽選の結果を示す図柄の組み合わせが停止表示されるまでの表示動作は単純なものであり、図柄変動中における興趣に欠けている。また、この特許文献１の遊技機に限らず、現在までに提供されている遊技機では、図柄変動中の興趣に欠け、特に、表示器として回転ドラムを採用した機種では、回転ドラムが一方向に回転した後に停止するという単純かつつまらない動作であった。
【０００５】
この発明は、かかる技術背景のもとになされたものであり、表示器による表示動作に工夫が凝らされ、これにより興趣が増した遊技機を提供することを目的とする。
【課題を解決するための手段】
【０００６】
上記目的を達成するための請求項１記載の発明は、遊技中に行われる抽選の結果を表示するための表示器（６１，６２，６３）を有する表示ユニット（６）と、この表示ユニットを上記表示器の表示面に交差する軸線まわりに回転角度制限なく回転自在に保持するユニット保持機構（７）とを含むことを特徴とする遊技機である。
なお、括弧内の英数字は、後述の実施形態における対応構成要素などを表す。以下、この項において同じ。
【０００７】
この発明によれば、表示器に抽選結果を表示させる一方で、表示ユニットを回転させることができる。
たとえば、請求項２に記載のように、上記表示器（６１，６２，６３）が、複数種類の図柄が次々と上記表示面内を所定の方向に移動する態様の図柄変動表示動作を行った後に、上記抽選の結果を表す図柄を停止表示するものであり、上記遊技機が、上記図柄変動表示動作中に上記表示ユニット（６）を回転させるためのユニット回転手段（９）をさらに含むものである場合には、表示器の図柄変動表示動作中に、表示ユニットを回転させるといったことができる。表示器の表示面内を図柄が次々と所定の方向に移動する一方で、その表示器が表示ユニットごと回転されると、遊技者にとっては、図柄が表示器の表示面内で様々な方向に移動しているように見える。これによって、従来の遊技機における図柄表示では達成し得ない興趣を遊技者に与えることができる。
【０００８】
請求項３記載の発明は、上記表示器（６１，６２，６３）は、複数種類の図柄が円筒状周面に描かれた回転ドラム（６１，６２，６３）を備えたものであり、上記表示ユニット（６）は、上記回転ドラムを上記円筒状周面の中心軸線まわりに回転可能に保持するとともに、上記回転ドラムを回転させるためのドラムモータ（６１１，６２１，６３１）を保持したドラムユニットであることを特徴とする請求項１または２記載の遊技機である。
【０００９】
従来の回転ドラムを備えた表示器では、図柄の変動動作中は回転ドラムに描かれた図柄が一方向に回転するのみであり、興趣の欠けるものであった。これに対して、請求項３に記載の遊技機では、遊技者にとっては、回転ドラムに描かれた図柄が表示器の表示面内で様々な方向に移動しているように見える。これによって、従来の回転ドラムを備えた表示器では達成し得ない興趣を遊技者に与えることができる。
【００１０】
請求項４記載の発明は、上記表示ユニット（６）は、上記表示器（６１，６２，６３）の表示動作を制御するための表示制御基板（６５）をさらに保持しており、上記遊技機は、上記表示制御基板に向けて信号を出力する信号出力基板（１３）と、上記表示ユニットの回転に伴って上記表示制御基板とともに回転する導電性回転体（１２）を備え、この導電性回転体から軸線方向に引き出された信号線（１２７，１２８）を上記表示制御基板に接続するとともに、一端が上記導電性回転体の周面に接触する信号線（１３１，１３２）の他端を上記信号出力基板に接続することによって、上記表示ユニットの回転時における上記信号出力基板と上記表示制御基板との間での信号の送受を可能にする通信接続手段とをさらに含むものであることを特徴とする請求項１ないし３のいずれかに記載の遊技機である。
【００１１】
表示ユニットを制限なく回転可能とするためには、回転している表示ユニットと外部の信号出力基板との間での電気接続が課題となる。そこで、請求項４記載の構成とすることで、表示ユニットが回転しても、表示ユニットが保持している表示制御基板と、信号出力基板との間での信号の送受が可能とされる。よって、表示器による図柄の表示動作を確実に行わせつつ、表示ユニットを半永久的に回転させることが容易に行われ得る。
【００１２】
また、請求項５に記載のように、上記表示器（６１，６２，６３）の表示動作のための信号を出力する信号出力基板（１３）と、上記表示ユニットの回転に伴って当該表示ユニットとともに回転する導電性回転体（１２）を備え、この導電性回転体から軸線方向に引き出された信号線（１２７，１２８）を上記表示器に接続するとともに、一端が上記導電性回転体の周面に接触する信号線（１３１，１３２）の他端を上記信号出力基板に接続することによって、上記表示ユニットの回転時における上記表示器と上記信号出力基板との間での信号の送受を可能にする通信接続手段とを含むことにより、表示ユニットの回転時における表示器と信号出力基板との間での電気接続が維持されてもよい。この場合、請求項５の構成と比較すると基板を少なくすることができる。逆に、請求項４の構成は、請求項５記載の構成と比較すると信号線を少なくすることができる。
【００１３】
請求項６記載の発明は、上記表示ユニット（６）は、上記表示器（６１，６２，６３）を保持する略円筒状のハウジング（６６）をさらに有していて、上記ユニット保持機構（７）は、上記ハウジングの外周面に周面が当接して上記表示ユニットを支持し、かつ、自転可能な複数のローラ（７）を有していることを特徴とする請求項１ないし５のいずれかに記載の遊技機である。
【００１４】
この発明によれば、ユニット保持機構は、ハウジングの外周面に当接して表示ユニットを支持し、かつ、自転可能な複数のローラを含む。これにより、たとえば、ローラにモータを接続することで、表示ユニットを支持しつつ回転させることを容易に行える。
【発明を実施するための最良の形態】
【００１５】
以下では、この発明の実施の形態を、添付図面を参照して詳細に説明する。
図１は、この発明の一実施形態にかかるパチンコ機の外観を概略的に示す正面図である。このパチンコ機は、図示しない発射装置から発射された遊技球を盤面に沿って落下させることにより遊技を行うための遊技盤１と、この遊技盤１に向けて発射する遊技球の勢いを調整するためのハンドル２と、遊技盤１に向けて発射すべき遊技球を貯留しておくための上皿３と、上皿３に貯留しきれない遊技球を受けるための下皿４とを備えている。
【００１６】
遊技盤１の周縁には、発射装置から発射された遊技球を遊技盤１の左側上部に導くための略円弧状のガイドレール５が配置されている。遊技盤１には、図示しない複数の障害釘が配設されており、ガイドレール５に沿って遊技盤１の左側上部から上方に放たれた遊技球は、遊技盤１の盤面に沿って複数の障害釘の間を通って落下していく。
また、遊技盤１の中央部には、３個の回転ドラム６１，６２，６３を有する表示ユニット６が配置されている。各回転ドラム６１，６２，６３は、略円筒状に形成されていて、その周面には、複数種類の図柄が描かれている。回転ドラム６１，６２，６３は、遊技盤１と平行な左右方向に延びる共通の回転軸線まわりに互いに独立して回転可能に設けられている。また、回転ドラム６１，６２，６３は、ハウジング６６に収容されていて、各周面の一部がハウジング６６の正面に形成された矩形状の窓６６１，６６２，６６３から露出している。
【００１７】
表示ユニット６の下方には、図示しないが、遊技球が上方から入球することのできる始動口が設けられており、この始動口に遊技球が入球すると、所定個数の賞球（遊技球）が付与されるとともに、大当たり遊技を実行するか否か（大当たりかはずれか）を決定するための大当たり抽選が行われる。この大当たり抽選の結果は、表示ユニット６が所定の動作を行った後、回転ドラム６１，６２，６３の周面に描かれた図柄の１つがそれぞれ窓６６１，６６２，６６３内に停止し、これにより視認可能となる３つの図柄の組合わせによって報知される。
【００１８】
図２は、表示ユニット６の動作を説明するための概念図である。上記始動口に遊技球が入ると、図２（ａ）に示すように、回転ドラム６１，６２，６３が左右方向に並列した状態から、回転ドラム６１，６２，６３がそれぞれ所定方向（図柄が上から下へと移動する方向）に回転するとともに、表示ユニット６が時計回りに回転する。
図２（ｂ）は、図２（ａ）の状態から表示ユニット６が時計回りに約３０度回転した状態を示す図であり、この状態では、回転ドラム６１，６２，６３が表す図柄は、正面視で右斜め上から左斜め下に移動しているように見える。
【００１９】
図２（ｃ）は、図２（ｂ）の状態から表示ユニット６がさらに約１２０度時計回りに回転した状態を示す図であり、この状態では、回転ドラム６１，６２，６３が表す図柄は、正面視で右斜め下から左斜め上に移動しているように見える。
図２（ｄ）は、図２（ｃ）の状態から表示ユニット６がさらに約６０度時計回りに回転した状態を示す図であり、この状態では、回転ドラム６１，６２，６３が表す図柄は、正面視で左斜め下から右斜め上に移動しているように見える。
【００２０】
図２（ｅ）は、図２（ｄ）の状態から表示ユニット６がさらに約１２０度時計回りに回転した状態を示す図であり、この状態では、回転ドラム６１，６２，６３が表す図柄は、正面視で左斜め上から右斜め下に移動しているよう見える。このように、回転ドラム６１，６２，６３が回転する一方で、表示ユニット６が回転することで、遊技者からは、回転ドラム６１，６２，６３に描かれた図柄が様々な方向に移動しているように見える。よって、一方向の回転による図柄表示では達成し得ない興趣を遊技者に与えることができる。
【００２１】
表示ユニット６の動作は、表示ユニット６の回転が停止させられるとともに、回転ドラム６１，６２，６３の回転が停止させられることで終了する。このとき、回転ドラム６１，６２，６３が左右方向に並列させられるようにして表示ユニット６の回転が停止させられる。そして、回転ドラム６１，６２，６３が表す図柄によって大当たり抽選の結果が報知される。すなわち、大当たり抽選の結果が大当たりであれば、３つの同一の図柄からなる大当たり図柄が横一列に並んだ状態が表され、大当たり抽選の結果がはずれであれば、大当たり図柄以外の図柄が横一列に並んだ状態が表される。
【００２２】
図３は、表示ユニット６の簡略化された右側面図であり、図４は、表示ユニット６の簡略化された正面図である。表示ユニット６は、回転ドラム６１，６２，６３と、それらをその内部に同軸上に並列させて保持する略箱形のケーシング６４と、ケーシング６４の後部に一体的に取り付けられた表示制御基板６５と、ケーシング６４および表示制御基板６５をその内部に保持し、その軸方向が前後方向に伸びる略円筒状のハウジング６６とを備えている。
【００２３】
ハウジング６６は、正面視において、その周面の右側上部、右側下部、左側上部、左側下部に当接する４つのローラ７によって支持されている。各ローラ７は、ローラ７の中心から前後に延びるローラ軸７１の両端が一対の支持板８によって保持されて、ローラ軸７１まわりに回転可能になっている。また、ハウジング６６の右側下部の周面に当接するローラ７のローラ軸７１の後端は、ユニット回転手段としてのローラモータ９から前方に向かって延びるローラモータ軸９１の前端と連結させられている。また、ローラモータ９の後方には、ローラモータ基板９２が備えられており、このローラモータ基板９２によって、ローラモータ９が駆動されるようになっている。
【００２４】
ローラモータ軸９１の回転力は、ローラ軸７１を介してローラ７（ハウジング６６の右側下部に当接するローラ７）を回転させる。これにより、そのローラ７と当接しているハウジング６６に摩擦力によって回転力が付与され、ハウジング６６が回転する。ハウジング６６が回転すると、その周面の右側上部、左側上部、左側下部に当接させられている他の３つのローラ７が従動する。これにより、ハウジング６６（表示ユニット６）が安定に回転する。
【００２５】
ハウジング６６の後部には、後方に向かって突出する位置検出用爪１０が備えられており、ハウジング６６の最上位置の後方には、位置検出用爪１０を検出するための位置検出用センサ１１が備えられている。ハウジング６６（表示ユニット６）は、３つの回転ドラム６１，６２，６３が左右方向に並ぶ状態（位置検出用爪１０がハウジング６６の最上位置後部にある状態）をホームポジションとしており、そのホームポジションを検出するために、位置検出用爪１０および位置検出用センサ１１が備えられている。すなわち、ハウジング６６がホームポジションにあるときに、位置検出用センサ１１が位置検出用爪１０を検出する。
【００２６】
表示制御基板６５の後方には、表示制御基板６５に制御信号を送るための略円柱状の導電性回転体１２が備えられている。導電性回転体１２は、その前端が表示制御基板６５に接続されており、表示制御基板６５と一体となって回転する。
図４に示す状態において、回転ドラム６１，６２，６３の左側には、それぞれドラムモータ基板６１０，６２０，６３０が備えられている。ドラムモータ基板６１０，６２０，６３０の右側面には、それぞれドラムモータ６１１，６２１，６３１が備えられ、さらに、各ドラムモータ６１１，６２１，６３１の右側からは、ドラムモータ軸６１２，６２２，６３２が右方に向かって延びている。そして、そのドラムモータ軸６１２，６２２，６３２の右端はそれぞれ、回転ドラム６１，６２，６３の周面を支持するスポーク６１３，６２３，６３３と連結させられている。
【００２７】
図５は、導電性回転体１２の構成を概略的に示す図である。図５において、左側を前方、右側を後方として説明する。導電性回転体１２は、表示制御基板６５に接続された略円柱状の接続部１２１を備えており、接続部１２１の右側面には、略円柱状の第１非導電性部分１２２、第１導電性部分１２３、第２非導電性部分１２４、第２導電性部分１２５および第３非導電性部分１２６がこの順で共通の回転軸線上に連設されている。
【００２８】
また、第１非導電性部分１２２、第２非導電性部分１２４および第３非導電性部分１２６は、非導電性の部材で形成されており、第１導電性部分１２３および第２導電性部分１２５は、導電性の部材で形成されている。第１導電性部分１２３および第２導電性部分１２５は、その間に第２非導電性部分１２４が備えられていることで、電気的に隔絶されている。なお。導電性回転体１２は、前述のように、表示制御回路６５と一体的に取り付けられており、表示制御回路６５と一体となって回転する。
【００２９】
導電性回転体１２の内部には、第１導電性部分１２３の内部から接続部１２１の先端にかけて前後方向に延びる第１内部信号線１２７と、第２導電性部分１２５の内部から接続部１２１の先端にかけて前後方向に延びる第２内部信号線１２８とが備えられている。第
１内部信号線１２７および第２内部信号線１２８の先端は、表示制御基板６５と電気的に接続されており、その後端は、第１導電性部分１２３および第２導電性部分１２５と電気的に接続されている。
【００３０】
さらに、信号出力基板１３から延びる第１出力信号線１３１および第２出力信号線１３２が、それぞれ第１導電性部分１２３および第２導電性部分１２５の周面に接触させられている。これにより、信号出力基板１３から出力信号線１３１を介して出力された電気信号は、第１導電性部分１２３および第１内部信号線１２７をさらに介して表示制御基板６５に入力される。同様に、信号出力基板１３から第２出力信号線１３２を介して出力された電気信号は、第２導電性部分１２５および第２内部信号線１２８をさらに介して表示制御基板６５に入力される。
【００３１】
表示制御基板６５とともに導電性回転体１２が回転しても、第１出力信号線１３１および第２出力信号線１３２は、第１導電性部分１２３および第２導電性部分１２５への接触状態を維持する。そのため、導電性回転体１２（表示制御基板６５）の回転中も、信号出力基板１３と表示制御基板６５との電気的な接続状態が維持されることになる。
図６は、パチンコ機の電気的構成を示すブロック図である。パチンコ機には、各種動作の情報に基づいて所定の処理を行い、その結果に基づいて制御信号を出力するメイン基板１４と、メイン基板１４の制御信号を受け取りその情報に基づいてコマンドを出力する信号出力基板１３と、信号出力基板１３の出力するコマンドを受け取る表示制御基板６５、音声基板１５、ランプ基板１６、ローラモータ基板９２とが備えられている。音声基板１５は、パチンコ機における音響機構を制御するものであり、ランプ基板１６は、パチンコ機における照明機構を制御するものである。また、表示制御基板６５は、前述のように、信号出力基板１３の出力するコマンドを導電性回転体１２を介して受け取り、そのコマンドに応じてドラムモータ基板６１０，６２０，６３０に駆動信号を出力する。
【００３２】
前述のように、遊技中に遊技球が始動口に入球すると、メイン基板１４において、大当たり抽選が行われる。そして、その結果に基づいて、メイン基板１４から信号出力基板１３に制御信号が出力される。信号出力基板１３は、受け取った制御信号に基づいて、表示制御基板６５に導電性回転体１２を介してコマンドを出力し、また、音声基板１５、ランプ基板１６、ローラモータ基板９２にコマンドを出力する。表示制御基板６５は、信号出力基板１３から受け取ったコマンドに応じて、ドラムモータ基板６１０，６２０，６３０に駆動信号を出力する。そして、その駆動信号を受け取ったドラムモータ基板６１０，６２０，６３０がドラムモータ６１１，６２１，６３１を駆動する。
【００３３】
また、信号出力基板１３からコマンドを受け取ったローラモータ基板９２が、ローラモータ９を制御して、ハウジング６６を回転させる。これにより、回転ドラム６１，６２，６３がそれぞれの中心軸線まわりに回転する一方で、ハウジング６６が遊技盤１に直行する軸線まわりに回転し、遊技者からは、回転ドラム６１，６２，６３が様々な方向に回転しているように見える（図２参照）。
【００３４】
メイン基板１４における抽選結果が大当たりであれば、ローラモータ基板９２が、ハウジング６６を停止させるとともに、表示制御基板６５が回転ドラム６１，６２，６３を、それぞれに描かれた同一の図柄が一列に横に並ぶように停止させる。そして、音声基板１５およびランプ基板１６が大当たりに応じた所定の制御を行う。逆に、メイン基板１４における抽選結果がはずれであれば、ローラモータ基板９２が、ハウジング６６を停止させるとともに、表示制御基板６５が回転ドラム６１，６２，６３を、同一の図柄が一列に並ばないように停止させる。
【００３５】
信号出力基板１３から導電性回転体１２を介して表示制御基板６５にコマンドが与えられ、表示制御基板６５からドラムモータ基板６１０，６２０，６３０に駆動信号が与えられる構成であるので、表示制御基板６５を用いずに信号出力基板１３から導電性回転体１２を介してドラムモータ基板６１０，６２０，６３０へ直接に駆動信号を与えるように構成した場合と比較して、導電性回転体１２を介して接続する信号線の数を少なくすることができる。
【００３６】
図７は、この発明の他の実施形態にかかるパチンコ機の電気的構成を示すブロック図である。この実施形態にかかるパチンコ機では、図７に示すように、表示制御基板６５を用いず、信号出力基板１３から導電性回転体１２を介して直接ドラムモータ基板６１０，６２０，６３０に駆動信号が出力される構成を採用している。このようにすれば、パチンコ機内の基板の数を少なくすることができる。
【００３７】
また、ハウジング６６を回転させる機構としては、図８に示すように、ハウジング６６を、複数の球状体６７を挟んで回転可能に保持する大ベアリング６８を備え、ハウジング６６に図示しないモータ等から直接回転力を付与することでハウジング６６が回転する構成であってもよい。さらには、図９に示すように、ハウジング６６に、その回転部分がハウジング６６から一部露出する自転用ローラ６９を複数備え、ハウジング６６を覆う略円筒状の大ハウジング７０に自転用ローラ６９を当接させ、ハウジング６６に図示しないモータ等から直接回転力を付与することでハウジング６６が回転する構成であってもよい。
【００３８】
この発明は、以上説明した実施形態に限定されるものではなく、請求項記載の範囲内において種々の変更が可能である。
【図面の簡単な説明】
【００３９】
【図１】この発明の一実施形態にかかるパチンコ機の外観を概略的に示す正面図である
【図２】表示ユニットの動作を説明するための概念図である。
【図３】表示ユニットの簡略化された右側面図である。
【図４】表示ユニットの簡略化された正面図である。
【図５】導電性回転体の構成を概略的に示す図である。
【図６】パチンコ機の電気的構成を示すブロック図である。
【図７】この発明の他の実施形態にかかるパチンコ機の電気的構成を示すブロック図である。
【図８】表示ユニットの第１の変形例の簡略化された正面図である。
【図９】表示ユニットの第２の変形例の簡略化された正面図である。
【符号の説明】
【００４０】
６      表示ユニット
７      ローラ
１２    導電性回転体
１３    信号出力基板
６１    回転ドラム
６２    回転ドラム
６３    回転ドラム
６５    表示制御基板
６６    ハウジング
１２７  第１内部信号線
１２８  第２内部信号線
１３１  第１出力信号線
１３２  第２出力信号線
６１１  ドラムモータ
６２１  ドラムモータ
６３１  ドラムモータ
【図１】
2005160731.tif 000003
【図２】
2005160731.tif 000004
【図３】
2005160731.tif 000005
【図４】
2005160731.tif 000006
【図５】
2005160731.tif 000007
【図６】
2005160731.tif 000008
【図７】
2005160731.tif 000009
【図８】
2005160731.tif 000010
【図９】
2005160731.tif 000011